(57)【特許請求の範囲】
【請求項１】
複数階からなる建物において、
該建物の内部の中央部分に複数階に亘って連続して一体に形成され、中空の内部空間を挟んで平行配置された一対の壁状体と、
前記壁状体の一方の壁面に接して、複数階に亘って吹き抜けとされていて機器類が設置される居室空間と、
前記壁状体を隔てて前記居室空間の反対側の位置に配置された空調設備と、
を備えていて、
前記壁状体の前記内部空間には設備配管及び配線が収納されるとともに、前記内部空間全体が空調用ダクトとして利用され、
前記居室空間と前記壁状体との間には、前記居室空間を空調するための吹出し口が上下複数段に亘って設けられていることを特徴とする建物。
【請求項２】
請求項１記載の建物であって、前記建物は、前記居室空間に輪転機を収容させてなる印刷工場であることを特徴とする建物。
【請求項３】
請求項１または２記載の建物であって、前記居室空間の床スラブは、鉄廃材を利用した機械基礎として形成されていることを特徴とする建物。
【発明の詳細な説明】
【０００１】
【発明の属する技術分野】
本発明は、工場等に用いられて好適な建物に関するものである。
【０００２】
【従来の技術】
従来、この種の建物は、内部に収容すべき機器類等の配置計画に合わせて、建築計画を設定し、これに基づいて設備計画を設定するようにしていた。
また、このような建物における設備計画は、通常、各室毎に室内全体の空調を行うように設定されていた。
【０００３】
【発明が解決しようとする課題】
ところで、工場の建物においては、将来的な機器類の増設や更新に伴い、各室ごとの空調能力、あるいはエネルギー供給能力を変更する必要が生じることが想定される。このような場合、あらためて設備計画を変更する必要があるが、その変更の自由度は、建物の建築計画により制約されてしまい、必ずしも最も効率のよい計画が策定できるとは限らない。
また、工場において、設備配管や空調機械の更新、増強を行うには、機器類の稼働を停止させて工事を行わなければならず、工事費用だけでなく、工場の稼働停止に伴う損失を含めたコストが嵩むものとなってしまう。
【０００４】
さらに、工場においては、人の居住域が限定されている場合が多く、この場合に、上述のように部屋全体を空調するようにしたのでは、建物のランニングコストが必要以上に増大してしまう。
【０００５】
本発明は、このような事情に鑑みてなされたものであり、将来的な設備計画の変更に容易に対応することが可能であり、なおかつ、従来に比較してランニングコストの面においても有利な建物を提供することを課題とする。
【０００６】
【課題を解決するための手段】
上記課題を解決するために本発明においては以下の手段を採用した。
すなわち、請求項１記載の発明は、複数階からなる建物において、該建物の内部の中央部分に複数階に亘って連続して一体に形成され、中空の内部空間を挟んで平行配置された一対の壁状体と、前記壁状体の一方の壁面に接して、複数階に亘って吹き抜けとされていて機器類が設置される居室空間と、前記壁状体を隔てて前記居室空間の反対側の位置に配置された空調設備とを備えていて、前記壁状体の前記内部空間には設備配管及び配線が収納されるとともに、前記内部空間全体が空調用ダクトとして利用され、前記居室空間と前記壁状体との間には、前記居室空間を空調するための吹出し口が上下複数段に亘って設けられていることを特徴としている。
【０００７】
このような構成により、効率よく空調設備を居室空間に対して壁状体を介して接続することができる。すなわち、空調用ダクトとして使用する壁状体内に、設備配管あるいは配線を自由に配置することが可能となり、したがって、居室空間内の任意の位置に、エネルギー供給あるいは空調吹き出しを行うことができる。
また、空調用ダクトの費用を削減することができるとともに、ダクトの付け替えを伴わずに、空調吹き出し箇所を変更することができ、将来的にも、建築計画に影響されず、設備の更新・増強を行うことができる。
さらに、居室空間を複数階吹抜けとしたことで、居室空間内に大型の機器類を配置することができ、居住域のみを成層空調することができる。そして、壁状体により建物の耐震性を向上させることができる。
【０００８】
請求項２記載の発明は、請求項１記載の建物であって、前記建物は、前記居室空間に輪転機を収容させてなる印刷工場であることを特徴としている。
【０００９】
このような構成により、輪転機を収容させた複数階吹き抜けの居室空間に、吹出し口からの空調空気を供給することができ、輪転機室内の居住域のみを成層空調するようにすれば、ランニングコストの低減化を図ることができる。
【００２２】
請求項３記載の発明は、請求項１または２記載の建物であって、前記居室空間の床スラブは、鉄廃材を利用した機械基礎として形成されていることを特徴としている。
【００２３】
このような構成により、居室空間内に大型の機器類を設置したとしても、基礎の体積を小さくすることができる。
【００２４】
【発明の実施の形態】
以下、本発明の実施の形態を、図面に基づいて説明する。
図１から５は、本発明の一実施の形態である建物１を模式的に示す図であり、図１は、建物１の外観斜視図、図２は、側断面図、図３は、建物１の１階平面図、図４は、建物１の２階平面図、図５は、建物１の３階平面図である。
【００２５】
この建物１は、印刷工場として計画されたものであり、その中央部に桁行方向に延在するようにメカニカルウォール（壁状体）２が配置されるとともに、メカニカルウォール２の一方の壁面２ａ側に、輪転機３が収容される複数階吹き抜けの輪転機室（居室空間）４が形成され、他方の壁面２ｂ側に、トラックが到着可能な発着所５、および、印刷物の発送梱包に使用される作業室６が形成された構成となっている。
【００２６】
メカニカルウォール２は、互いに平行配置されるとともにブレース７，７，…を内蔵した一対の耐震壁８，８を接続することにより形成されており、建物の基礎部９から屋根１０にまで亘って設けられ、建物１の躯体の耐震性を向上させるように機能する。
【００２７】
また、建物１を支持する基礎部９のうち、輪転機室４の下方に位置する床スラブは、機械基礎Ｍとされており、その内部に鉄廃材が埋め込まれ、これにより、少ない体積で、輪転機３と同程度の重量を有するようになっている。
【００２８】
また、建物１のうち、メカニカルウォール２の壁面２ｂ側における作業室６の上方の位置は、屋根１０が部分的に切り欠かれて形成されており、この部分が屋上１１として形成された構成となっている。そして、屋上１１には、空調設備１２が、屋外に露出した状態で配置されている。空調設備１２は、複数の空調ユニット１３，１３，…からなるものであり、この場合、輪転機室４側から見て、メカニカルウォール２を隔てて反対側の位置に配置される。
【００２９】
空調ユニット１３は、チラー（熱源器）１４とＡＨＵ１５（Air Handling Unit：空調機）とを同一の架台１６上に搭載したものであり、各架台１６ごとにユニット化されて、運搬・設置可能な構成となっている。
【００３０】
また、メカニカルウォール２は、その内部に、内部空間Ｓを有した中空の構造とされるとともに、内部空間Ｓに電気配線や通信回線、その他空調配管以外の配管を収納した構成となっている。さらに、メカニカルウォール２の内部空間Ｓは、ＡＨＵ１５に接続されてＡＨＵ１５から冷暖房された空気が供給されるようになっている。これにより、メカニカルウォール２の壁面２ａまたは２ｂに空調吹出口を設けることによって、ＡＨＵ１５からの空調空気を輪転機室４または作業室６に供給できるようになっている。この場合、メカニカルウォール２は、その内部空間Ｓ全体が、空調用ダクトとして機能することとなる。
【００３１】
また、この建物１においては、竪型成層蓄熱槽１８が、空調設備１２に隣接した状態で、建物１の躯体の外側に位置させて設けられている。この竪型成層蓄熱槽１８は、鋼管を地上に立設したものであり、それぞれのチラー１４，１４，…に対して接続されている。
【００３２】
ここに、竪型成層蓄熱槽１８、空調ユニット１３、およびメカニカルウォール２は、図６に示すように互いに接続されている。すなわち、竪型成層蓄熱１８は、チラー１４，１４，…に接続されて、特に夜間に、チラー１４によって内部の貯蔵水を、冷水または温水とすることができるようになっており、また、昼間、あるいは、輪転機の運転時に、ＡＨＵ１５，１５，…に貯蔵水を供給できるようになっている。そして、竪型成層蓄熱槽１８の冷水または温水とされた貯蔵水を利用して、あるいは、チラー１４から供給された温水または冷水を利用して、ＡＨＵ１５，１５，…において熱交換を行い、暖気または冷気をメカニカルウォール２内に供給することができるようになっている。
【００３３】
また、メカニカルウォール２と輪転機室４との間には、複数の吹出口１９，１９，…が設けられている。これら吹出口１９，１９，…は、開閉制御可能に構成されており、これにより、輪転機室４内の所望の位置を冷暖房することが可能となっている。また、吹出口１９，１９，…は、上下複数段に亘って設けられており、これにより、輪転機室４のうち、作業員が存在する居住域のみを成層空調することが可能となっている。
【００３４】
上述の建物１においては、内部が中空のメカニカルウォール２の壁面２ａ，２ｂに接して、空調対象の輪転機室４あるいは作業室６が設けられ、なおかつ、メカニカルウォール２の内部に、電気配線や通信回線、あるいは、空調配管以外の配管が収納された構成となっているために、メカニカルウォール２内において、設備配管あるいは配線を自由に配置することが可能となる。したがって、輪転機室４あるいは作業室６などの任意の位置に、エネルギー供給等を行うことができ、設備計画の自由度が高い。また、将来的にも、建築計画に影響されることなく、容易に設備の更新・増強を行うことができるため、建物１の長寿命化を図ることができるとともに、この際に、輪転機３の稼働停止時間を最小限として、損失の発生の抑制を図ることができる。
【００３５】
また、この場合、メカニカルウォール２の内部空間Ｓ全体が、空調用ダクトとして利用されているために、従来に比較して、空調用ダクトの費用を削減することができるとともに、ダクトの付け替えを伴わずに、空調吹き出し箇所を変更することができ、設備の更新・増強に良好に対応することができる。
【００３６】
また、上述の建物１においては、主な空調対象である輪転機室４からメカニカルウォール２を隔てて反対側の位置に、空調設備１２を配置するようにしたために、ＡＨＵ１５から空調対象の輪転機室４までの距離が長くならず、空調効率がよい。また、ＡＨＵ１５とメカニカルウォール２との間に、長いダクト等を設置する必要も無いため、空間利用効率が優れているだけでなく、設備コストを抑制することができる。
【００３７】
さらに、上述の建物１においては、空調設備１２が、チラー１４とＡＨＵ１５とをパッケージ化して、同一の架台１６上に搭載した屋外配置可能な空調ユニット１３により構成されているために、空調設備１２の容易な設置が可能であり、施工性がよい。また、将来的な設備の更新増設に対しては、空調ユニット１２の更新・増設による対応が可能となり、容易に対応できる。
【００３８】
さらに、上述の建物１においては、竪型成層蓄熱槽１８が備えられた構成となっているので、輪転機３の稼働時間が限定されている場合に、その時間のみに効率よく空調を行うことができ、深夜電力等を利用した低コストの空調が可能となる。
【００３９】
さらに、この場合、竪型成層蓄熱槽１８が、鋼管を鉛直配置することにより形成されているために、蓄熱槽を低コストおよび短工期で設置することができ、建物施工費用の削減および施工期間の短縮化に貢献することができる。
【００４０】
また、上述の建物１においては、メカニカルウォール２が、平行配置された一対の耐震壁８，８を互いに接続した構成とされ、なおかつ、メカニカルウォール２が、建物１全体を平面視した場合にその略中央部に配置されるとともに、複数階に亘って設けられているために、耐震機能を良好に発揮することが可能であり、建物全体の耐震性を向上させることができる。
【００４１】
さらに、輪転機室４を複数階吹き抜けとしたために、輪転機室４内に大型の輪転機３を配置することができるとともに、この場合に、輪転機室４内の居住域のみを成層空調するようにすれば、ランニングコストの低減化を図ることができる。
【００４２】
また、上述の建物１においては、輪転機室の床スラブが、鉄廃材を利用した機械基礎Ｍとして形成されているために、大型の輪転機３を設置したとしても、基礎部９の体積を小さくすることができる。これにより、基礎部９を設置する上での掘削土量を削減して、施工費用の削減を図ることができる。
【００４３】
なお、上記実施の形態において、本発明の趣旨を逸脱しない範囲内で他の構成を採用するようにしてもよい。例えば、上記実施の形態において、建物１は印刷工場として形成されているが、これに限定されず、大型機器の組立工場、あるいは、他の用途の建物であってもよい。
【００４４】
【発明の効果】
以上説明したように、請求項１に係る建物においては、建物の内部の中央部分に複数階に亘って連続して一体に形成され、中空の内部空間を挟んで平行配置された一対の壁状体と、壁状体の一方の壁面に接して、複数階に亘って吹き抜けとされていて機器類が設置される居室空間と、壁状体を隔てて居室空間の反対側の位置に配置された空調設備とを備えていて、壁状体の内部空間には設備配管及び配線が収納されるとともに内部空間全体が空調用ダクトとして利用され、居室空間と壁状体との間には、居室空間を空調するための吹出し口が上下複数段に亘って設けられた構成となっているために、効率よく空調設備を居室空間に対して壁状体を介して接続することができる。すなわち、空調用ダクトとして使用する壁状体内に、設備配管あるいは配線を自由に配置することが可能となり、したがって、居室空間内の任意の位置に、エネルギー供給あるいは空調吹き出しを行うことができ、設備計画の自由度が高い。
また、空調用ダクトの費用を削減することができるとともに、ダクトの付け替えを伴わずに、空調吹き出し箇所を変更することができ、将来的にも、建築計画に影響されることなく、容易に設備の更新・増強を行うことができるため、建物の長寿命化を図ることができるとともに、この際に、機器類の稼働停止時間を最小限として、損失の発生の抑制を図ることができる。
さらに、居室空間を複数階吹抜けとしたことで、居室空間内に大型の機器類を配置することができ、例えば工場として好適な建物を実現することができるとともに、居住域のみを成層空調するようにすることによって、ランニングコストの低減化を図ることができる。  
そして、壁状体がその機能を発揮することにより、建物全体の耐震性を向上させることが可能となる。
【００４５】
請求項２に係る建物においては、印刷工場における輪転機を収容させた複数階吹き抜けの居室空間に、吹出し口からの空調空気を供給することができ、輪転機室内の居住域のみを成層空調するようにすれば、ランニングコストの低減化を図ることができる。
【００５２】
請求項３に係る建物においては、居室空間の床スラブが、鉄廃材を利用した機械基礎として形成されているために、大型の機器類を設置したとしても、基礎の体積を大きくする必要が無く、これにより、掘削土量を削減して、施工費用の削減を図ることができる。
【図面の簡単な説明】
【図１】   本発明の一実施の形態を模式的に示す建物の外観斜視図である。
【図２】   同、側断面図である。
【図３】   同、一階平面図である。
【図４】   同、二階平面図である。
【図５】   同、三階平面図である。
【図６】   図１から図５に示した建物内の空調設備の概略系統図である。
【符号の説明】
１  建物
２  メカニカルウォール
２ａ，２ｂ  壁面
４  輪転機室（居室空間）
８  耐震壁
１２  空調設備
１３  空調ユニット
１４  チラー（熱源器）
１５  ＡＨＵ（空調機）
１６  架台
１８  竪型成層蓄熱層
１９  吹出口
Ｓ  内部空間
Ｍ  機械基礎
【図１】
0003826340.tif 000002
【図２】
0003826340.tif 000003
【図３】
0003826340.tif 000004
【図４】
0003826340.tif 000005
【図５】
0003826340.tif 000006
【図６】
0003826340.tif 000007